(57)【要約】【課題】コネクタ全体を小型化する。【解決手段】本明細書によって開示されるコネクタ１０は相手側コネクタ１４と、車体に固定されたホルダ１６と相手側コネクタ１４が嵌合可能なハウジング１８とを有する待受け側コネクタ１２と、を備えたコネクタ１０であって、ハウジング１８は、ホルダ１６に対して嵌合開始位置と嵌合完了位置との間を嵌合方向に移動可能とされ、相手側コネクタ１４と待受け側コネクタ１２の嵌合が進むにしたがって嵌合開始位置から嵌合完了位置に移動するものとされ、待受け側コネクタ１２は、嵌合開始位置と嵌合完了位置との間においてハウジング１８の嵌合方向への移動を案内するガイド部と、嵌合開始位置でハウジング１８の嵌合方向以外の方向への移動を抑制する抑制部と、嵌合完了位置でハウジング１８の嵌合方向以外の方向への移動を許容する許容部と、を有する。【選択図】図７
2020136154.tif 000002
【特許請求の範囲】
【請求項１】
相手側コネクタと、
車体に固定されたホルダと前記相手側コネクタが嵌合可能なハウジングとを有する待受け側コネクタと、を備えたコネクタであって、
前記ハウジングは、前記ホルダに対して嵌合開始位置と嵌合完了位置との間を嵌合方向に移動可能とされ、前記相手側コネクタと前記待受け側コネクタの嵌合が進むにしたがって前記嵌合開始位置から前記嵌合完了位置に移動するものとされ、
前記待受け側コネクタは、前記嵌合開始位置と前記嵌合完了位置との間において前記ハウジングの嵌合方向への移動を案内するガイド部と、前記嵌合開始位置で前記ハウジングの嵌合方向以外の方向への移動を抑制する抑制部と、前記嵌合完了位置で前記ハウジングの嵌合方向以外の方向への移動を許容する許容部と、を有するコネクタ。
【請求項２】
前記ガイド部は、前記ホルダに設けられたホルダ側ガイド部と、前記ハウジングに設けられたハウジング側ガイド部と、を備えて構成され、
前記抑制部は、前記ホルダ側ガイド部と前記ハウジング側ガイド部が互いに噛み合うことで構成されている請求項１に記載のコネクタ。
【請求項３】
前記ホルダ側ガイド部と前記ハウジング側ガイド部の少なくとも一方には、前記ホルダ側ガイド部と前記ハウジング側ガイド部の間に形成されるクリアランスを小さくさせるガタ詰め部が設けられている請求項２に記載のコネクタ。
【請求項４】
前記許容部は、前記ハウジングが前記嵌合開始位置から前記嵌合完了位置に移動する途中で前記ハウジング側ガイド部と前記ホルダ側ガイド部の噛み合いが外れることで構成されている請求項２に記載のコネクタ。
【発明の詳細な説明】
【技術分野】
【０００１】
本開示は、コネクタに関する。
【背景技術】
【０００２】
特許文献１には待受け形式のコネクタが記載されている。この待受け式コネクタは、雄コネクタハウジングと、予めパネルに装着された雌コネクタハウジングと、を備えている。雄コネクタハウジングは、雌コネクタハウジングが内部に嵌合可能なフード部を備えている。雄コネクタハウジングのフード部の口縁にはテーパ状の誘い込み面が設けられている。雌雄のコネクタハウジングの嵌合過程で芯ずれがあった場合、雌コネクタハウジングの前端がフード部の誘い込み面に当接する。引き続き、雌コネクタハウジングがフード部内に嵌合されると、嵌合に伴って雌コネクタハウジングの前端が誘い込み面上を摺動し、雌雄のコネクタハウジングの芯ずれが矯正される。
【先行技術文献】
【特許文献】
【０００３】
【特許文献１】特開２００３−１５１６８４号公報
【発明の概要】
【発明が解決しようとする課題】
【０００４】
待受け側コネクタをホルダとハウジングの二部品で構成した場合、ハウジングから後方に引き出された電線の反力や各部品の公差バラツキによりハウジングがホルダの中で傾くことで嵌合ができなくなることがあり得る。ハウジングがホルダに対して傾いた場合でも嵌合ができるようにするためには、ハウジングの前端に大きな誘い込みを設ける必要がある。しかしながら、ハウジングの前端に大きな誘い込みが設けられると待受け側コネクタが大型化し、これに伴って相手側コネクタも大型化することから、コネクタ全体が大型化する。
【０００５】
本開示は上記のような事情に基づいて完成されたものであって、コネクタ全体を小型化することを目的とする。
【課題を解決するための手段】
【０００６】
本開示のコネクタは、相手側コネクタと、車体に固定されたホルダと前記相手側コネクタが嵌合可能なハウジングとを有する待受け側コネクタと、を備えたコネクタであって、前記ハウジングは、前記ホルダに対して嵌合開始位置と嵌合完了位置との間を嵌合方向に移動可能とされ、前記相手側コネクタと前記待受け側コネクタの嵌合が進むにしたがって前記嵌合開始位置から前記嵌合完了位置に移動するものとされ、前記待受け側コネクタは、前記嵌合開始位置と前記嵌合完了位置との間において前記ハウジングの嵌合方向への移動を案内するガイド部と、前記嵌合開始位置で前記ハウジングの嵌合方向以外の方向への移動を抑制する抑制部と、前記嵌合完了位置で前記ハウジングの嵌合方向以外の方向への移動を許容する許容部と、を有するコネクタである。
【発明の効果】
【０００７】
本開示によれば、コネクタ全体を小型化できる。
【図面の簡単な説明】
【０００８】
【図１】図１は、実施形態に係るコネクタの後方斜視図であって、ハウジングが嵌合開始位置に位置する状態を表す図である。
【図２】図２は、コネクタの後方斜視図であって、ハウジングが嵌合完了位置に位置する状態を表す図である。
【図３】図３は、コネクタの前方斜視図であって、ハウジングが嵌合開始位置に位置する状態を表す図である。
【図４】図４は、コネクタの背面図である。
【図５】図５は、図４におけるＡ−Ａ断面図であって、ハウジングが嵌合開始位置に位置する状態を表す図である。
【図６】図６は、図５と対応する断面図であって、ハウジングが嵌合完了位置に位置する状態を表す図である。
【図７】図７は、図４におけるＢ−Ｂ位置で切断した断面斜視図であって、ハウジングが嵌合開始位置に位置する状態を表す図である。
【図８】図８は、図７と対応する断面斜視図であって、ハウジングが嵌合完了位置に位置する状態を表す図である。
【発明を実施するための形態】
【０００９】
＜本開示の実施形態の説明＞
最初に本開示の実施形態を列記して説明する。
（１）本開示のコネクタは、相手側コネクタと、車体に固定されたホルダと前記相手側コネクタが嵌合可能なハウジングとを有する待受け側コネクタと、を備えたコネクタであって、前記ハウジングは、前記ホルダに対して嵌合開始位置と嵌合完了位置との間を嵌合方向に移動可能とされ、前記相手側コネクタと前記待受け側コネクタの嵌合が進むにしたがって前記嵌合開始位置から前記嵌合完了位置に移動するものとされ、前記待受け側コネクタは、前記嵌合開始位置と前記嵌合完了位置との間において前記ハウジングの嵌合方向への移動を案内するガイド部と、前記嵌合開始位置で前記ハウジングの嵌合方向以外の方向への移動を抑制する抑制部と、前記嵌合完了位置で前記ハウジングの嵌合方向以外の方向への移動を許容する許容部と、を有するコネクタである。
嵌合開始位置では抑制部によってハウジングの嵌合方向以外の方向への移動が抑制されているため、ハウジングの姿勢がホルダ内において維持され易くなり、相手側コネクタを待受け側コネクタに誘い込む誘導部分を小さくできる。したがって、待受け側コネクタを小型化でき、これに伴って相手側コネクタも小型化できる。よって、コネクタ全体を小型化できる。
【００１０】
（２）前記ガイド部は、前記ホルダに設けられたホルダ側ガイド部と、前記ハウジングに設けられたハウジング側ガイド部と、を備えて構成され、前記抑制部は、前記ホルダ側ガイド部と前記ハウジング側ガイド部が互いに噛み合うことで構成されている。
ガイド部を構成するホルダ側ガイド部とハウジング側ガイド部とによってハウジングが嵌合方向以外の方向に移動することを抑制できる。
【００１１】
（３）前記ホルダ側ガイド部と前記ハウジング側ガイド部の少なくとも一方には、前記ホルダ側ガイド部と前記ハウジング側ガイド部の間に形成されるクリアランスを小さくさせるガタ詰め部が設けられている。
ガタ詰め部によってクリアランスを小さくさせることで、ホルダ内においてハウジングが強固に固定されることとなり、ハウジングの嵌合方向以外の方向への移動をさらに抑制できる。
【００１２】
（４）前記許容部は、前記ハウジングが前記嵌合開始位置から前記嵌合完了位置に移動する途中で前記ハウジング側ガイド部と前記ホルダ側ガイド部の噛み合いが外れることで構成されている。
ハウジング側ガイド部とホルダ側ガイド部の噛み合いが外れることで、嵌合完了位置でハウジングの嵌合方向以外の方向への移動を許容できる。
【００１３】
＜本開示の実施形態の詳細＞
本開示のコネクタの具体例を、以下に図面を参照しつつ説明する。なお本開示はこれらの例示に限定されるものではなく、特許請求の範囲によって示され、特許請求の範囲と均等の意味および範囲内でのすべての変更が含まれることが意図される。
【００１４】
図１に示すように、本実施形態のコネクタ１０は、車体（図示せず）に取り付けられる雄型の待受け側コネクタ１２と、嵌合方向前方にフード状に開口しており、待受け側コネクタ１２が内部に嵌合される雌型の相手側コネクタ１４と、を備えている。以降の説明では、待受け側コネクタ１２及び相手側コネクタ１４の嵌合方向を前後方向とし、互いの嵌合面側を前側とする。また、図４において、図示左側から図示右側に向かう方向を左右方向の右方とし、図示下側から図示上側に向かう方向を上下方向の上方とする。
【００１５】
待受け側コネクタ１２は、図１に示すように車体に固定されるホルダ１６と、ホルダ１６の内部に収容されホルダ１６に対して前後方向（嵌合方向）に移動可能なハウジング１８と、相手側コネクタ１４と待受け側コネクタ１２とが嵌合する際における嵌合力を低減するレバー２０と、を備えて構成されている。
【００１６】
ハウジング１８は、待受け側コネクタ１２と相手側コネクタ１４とが嵌合する前の位置である嵌合開始位置（図１に示すホルダ１６に対するハウジング１８の位置）と、待受け側コネクタ１２と相手側コネクタ１４が嵌合した後の位置である嵌合完了位置（図２に示すホルダ１６に対するハウジング１８の位置）との間を移動可能とされる。相手側コネクタ１４と待受け側コネクタ１２との嵌合が進むにしたがって、ハウジング１８は図１に示す嵌合開始位置から図２に示す嵌合完了位置に移動する。
【００１７】
ハウジング１８は図１、図３に示すように左右方向に長い直方体形状をなしており、図４に示すようにハウジング１８の上面における左右両端部には左右一対のハウジング側ガイド部（ガイド部）２２がそれぞれ上方に突出して設けられている。同様にハウジング１８の下面における左右両端部には左右一対のハウジング側ガイド部２２が下方に突出して設けられている。ハウジング１８における前後方向の面には複数のキャビティが開口して設けられており、キャビティには図示しない雄端子が収容される。図３に示すようにハウジング１８における左右両側面には左右一対のロック部２４がそれぞれ左右方向に突出して設けられている。
【００１８】
図４に示すように左右一対のハウジング側ガイド部２２における互いに対向する面には溝部２６が設けられており、図７、図８に示すように溝部２６は前後方向に長く開口している。
【００１９】
図１、図３に示すようにホルダ１６は左右方向に長い方形筒状をなしており前後方向に開口している。図３に示すようにホルダ１６における左右方向の内壁には、嵌合方向前方に向けて片持ち状に突出する左右一対のロックアーム２８が設けられている。嵌合開始位置において一対のロックアーム２８の前端部はハウジング１８における一対のロック部２４を後方から係止している。これにより、ハウジング１８は後方に移動することが抑制される。また、ハウジング１８が嵌合開始位置から嵌合完了位置に移動する際は、相手側コネクタ１４に設けられている係止解除部がロックアーム２８をホルダ１６における左右方向の内壁に向けて撓ませることにより、ロックアーム２８のロック部２４への係止が解除される。これによりハウジング１８は相手側コネクタ１４によって後方へ押され嵌合完了位置に移動する。以上により相手側コネクタ１４と待受け側コネクタ１２とは嵌合される。
【００２０】
図４に示すように、ホルダ１６における上方の内壁には、左右一対のホルダ側ガイド部（ガイド部）３０が設けられている。同様に、ホルダ１６における下方の内壁には、左右一対のホルダ側ガイド部３０が設けられている。以降は上方の内壁に設けられているホルダ側ガイド部３０について説明されており、下方の内壁に設けられているホルダ側ガイド部３０については上方の内壁に設けられているホルダ側ガイド部３０と同一構成のため説明は省略されている。
【００２１】
図７、図８に示すようにホルダ側ガイド部３０は前後方向に長い形状をなしており、図４に示すように、上方の内壁から下方に突出する第１突出部３２と、第１突出部３２の下端から左右方向に突出する第２突出部３４とを備えている。第２突出部３４は、左右方向に間隔を空けて一対設けられている。第２突出部３４の突出方向は、残りの第２突出部３４に向かう方向とは反対の方向である。また、図７、図８に示すようにホルダ側ガイド部３０には第１突出部３２における前端および第２突出部３４における前端と連なる前壁３６が設けられている。これにより、嵌合開始位置においてハウジング１８が前方に移動するとハウジング側ガイド部２２がホルダ１６の前壁３６に後方から接触することとなり、ハウジング１８の前方への移動が抑制される。
【００２２】
図７に示すように、嵌合開始位置においてはハウジング側ガイド部２２における溝部２６内にホルダ側ガイド部３０における第２突出部３４が入り込んでおり、ホルダ側ガイド部３０とハウジング側ガイド部２２とは互いに噛み合っている。これにより、ハウジング１８におけるホルダ側ガイド部３０に対する前後方向（嵌合方向）以外の方向への移動が抑制される（抑制部に関する説明）。このように、嵌合開始位置ではハウジング１８の前後方向以外の方向への移動が抑制されるため、ハウジング１８の姿勢がホルダ１６内において維持され易くなり、相手側コネクタ１４を待受け側コネクタ１２に誘い込む誘導部分を小さくできる。これにより、待受け側コネクタ１２を小型化でき、これに伴って相手側コネクタ１４も小型化でき、コネクタ１０全体を小型化できる。また、ハウジング１８の前後方向への移動は抑制されていないことから、ホルダ側ガイド部３０及びハウジング側ガイド部２２によってハウジング１８の前後方向への移動が案内されるようになっている。
【００２３】
図７、図８に示すように、第１突出部３２および第２突出部３４には、前後方向に長い線状をなすガタ詰め部３８が設けられている。ガタ詰め部３８は嵌合開始位置においてハウジング側ガイド部２２に接触しており、ホルダ側ガイド部３０とハウジング側ガイド部２２との間に形成されるクリアランスを小さくさせている。これにより、ホルダ１６内においてハウジング１８が強固に固定されることとなりハウジング１８がホルダ１６内において前後方向以外にガタつくことがさらに抑制される。
【００２４】
図８に示すように、ハウジング１８が嵌合開始位置から嵌合完了位置に移動する途中でホルダ側ガイド部３０とハウジング側ガイド部２２との噛み合いが外れ、ハウジング側ガイド部２２がホルダ側ガイド部３０の後方空間４０に収容されることでハウジング１８の前後方向以外の方向への移動が許容される。これによりガタ詰め部３８による嵌合フィーリングの悪化が抑制される。また、嵌合後にホルダ１６に外力が加えられた際に、ホルダ１６に対する外力がハウジング１８へ伝わることが抑制され、ハウジング１８に収容されている図示しない雄端子にかかる外力を抑制できる。（許容部に関する説明）。
【００２５】
図７、図８に示すように、ホルダ側ガイド部３０における後端部（すなわち、第１突出部３２の後端部および第２突出部３４における後端部）およびガタ詰め部３８における後端部は、後方に向けて傾斜するテーパ状をなしている。これにより待受け側コネクタ１２および相手側コネクタ１４の嵌合解除時にハウジング１８が嵌合完了位置から嵌合開始位置に戻る際に、ハウジング側ガイド部２２が第２突出部３４における後端部およびガタ詰め部３８における後端部に乗り上げることで、ホルダ側ガイド部３０に噛み合い易くなる。
【００２６】
以上のように本実施形態によれば、嵌合開始位置では抑制部（ハウジング側ガイド部２２およびホルダ側ガイド部３０）によってハウジング１８の前後方向以外の方向への移動が抑制されているため、ハウジング１８の姿勢がホルダ１６内において維持され易くなり、相手側コネクタ１４を待受け側コネクタ１２に誘い込む誘導部分を小さくできる。したがって、待受け側コネクタ１２を小型化でき、これに伴って相手側コネクタ１４も小型化できる。よって、コネクタ全体を小型化できる。
【００２７】
また、ガイド部は、ホルダ１６に設けられたホルダ側ガイド部３０と、ハウジング１８に設けられたハウジング側ガイド部２２と、を備えて構成され、抑制部は、ホルダ側ガイド部３０とハウジング側ガイド部２２が互いに噛み合うことで構成されている。
ガイド部を構成するホルダ側ガイド部３０とハウジング側ガイド部２２とによってハウジング１８が前後方向（嵌合方向）以外の方向に移動することを抑制できる。
【００２８】
また、ホルダ側ガイド部３０とハウジング側ガイド部２２の少なくとも一方には、ホルダ側ガイド部３０とハウジング側ガイド部２２の間に形成されるクリアランスを小さくさせるガタ詰め部３８が設けられている。
ガタ詰め部３８によってクリアランスを小さくさせることで、ホルダ内においてハウジング１８が強固に固定されることとなり、ハウジング１８の前後方向（嵌合方向）以外の方向への移動をさらに抑制できる。
【００２９】
また、許容部は、ハウジング１８が嵌合開始位置から嵌合完了位置に移動する途中でハウジング側ガイド部２２とホルダ側ガイド部３０の噛み合いが外れることで構成されている。
ハウジング側ガイド部２２とホルダ側ガイド部３０の噛み合いが外れることで、嵌合完了位置でハウジング１８の前後方向（嵌合方向）以外の方向への移動を許容できる。
【００３０】
＜他の実施形態＞
本明細書によって開示される技術は上記記述及び図面によって説明した実施形態に限定されるものではなく、例えば次のような種々の態様も含まれる。
（１）上記実施形態では、ガタ詰め部３８はホルダ側ガイド部３０に設けられる構成としたが、例えば、ガタ詰め部はハウジング側ガイド部に設けられる構成としてもよい。
（２）上記実施形態では、許容部は、ハウジング１８が嵌合開始位置から嵌合完了位置に移動する途中でハウジング側ガイド部２２とホルダ側ガイド部３０の噛み合いが外れてホルダ側ガイド部３０の後方空間４０に収容されることで構成されていたが、例えば、許容部は、嵌合開始位置から嵌合完了位置に移動する途中でハウジング側ガイド部とホルダ側ガイド部との間のクリアランスを大きくすることで構成されていてもよい。
（３）上記実施形態では、左右一対のハウジング側ガイド部２２は、ハウジング１８における上面および下面にそれぞれ設けられている構成としたが、ハウジングの上面または下面のいずれか一方に設けられる構成としてもよい。同様に、左右一対のホルダ側ガイド部３０は、ホルダ１６における上方の内壁および下方の内壁にそれぞれ設けられている構成としたが、ホルダにおける上方の内壁または下方の内壁のいずれか一方に設けられる構成としてもよい。
（４）上記実施形態では、待受け側コネクタ１２は雄型であり、相手側コネクタ１４は雌型である構成としたが、待受け側コネクタを雌型とし、相手側コネクタを雄型とする構成としてもよい。
（５）上記実施形態では、各ガイド部２２、３０が抑制部を兼ねているが、各ガイド部２２、３０とは別に抑制部が設けられているものとしてもよい。
【符号の説明】
【００３１】
１０：コネクタ
１２：待受け側コネクタ
１４：相手側コネクタ
１６：ホルダ
１８：ハウジング
２０：レバー
２２：ハウジング側ガイド部（ガイド部、抑制部）
２４：ロック部
２６：溝部
２８：ロックアーム
３０：ホルダ側ガイド部（ガイド部、抑制部）
３２：第１突出部
３４：第２突出部
３６：前壁
３８：ガタ詰め部
４０：後方空間（許容部）
【図１】
2020136154.tif 000003
【図２】
2020136154.tif 000004
【図３】
2020136154.tif 000005
【図４】
2020136154.tif 000006
【図５】
2020136154.tif 000007
【図６】
2020136154.tif 000008
【図７】
2020136154.tif 000009
【図８】
2020136154.tif 000010